【事件の表示】
　特許第３２５８５１０号「パラメータ選択装置」の請求項１ないし８に係る特許に対する特許異議の申立てについて、次のとおり決定する。
【結　論】
　特許第３２５８５１０号の請求項１ないし８に係る特許を取り消す。
【理　由】
Ｉ．手続の経緯
特許出願　　　　　　　　　平成７年２月１６日
　　　　　　　　　　　　（平成４年６月１１日　分割出願に係る原出願の出願日）
特許権設定登録　　　　　　平成１３年１２月７日
特許異議申立て（申立人　中沢　誠　請求項１−８に対して）
　　　　　　　　　　　　　平成１４年８月１９日
取消理由通知　　　　　　　平成１４年１１月１２日
意見書、訂正請求　　　　　平成１５年１月１７日
訂正拒絶理由通知　　　　　平成１５年１月２７日
（なお、上記訂正拒絶理由通知に対して、その指定期間内に特許権者からの応答はなされなかった。）
　
ＩＩ．訂正の適否
１．訂正の内容
　訂正請求により特許権者が求めている訂正の内容は以下のとおりである。
　
（１）訂正事項ａ
　特許請求の範囲の減縮を目的として、訂正前の特許請求の範囲の請求項１を、削除する。
　
（２）訂正事項ｂ 
　特許請求の範囲の減縮を目的として、訂正前の特許請求の範囲の請求項２を、訂正後の請求項１とし、以下の通りに訂正する。
「【請求項１】択一的に選択可能な複数の設定項目とその各設定項目について複数のパラメータを表示可能なディスプレイを有する電子機器のパラメータ選択装置において、
　そのディスプレイに
複数個同時に
　操作することで前記ディスプレイに表示されているパラメータであって、前記複数のパラメータの中から選択状態にある任意のパラメータを他のパラメータに順次変更するパラメータ選択手段と、
　前記各選択項目について複数のパラメータの中の予め決めた１つのパラメータを記憶する記憶手段と、
　
複数個同時に表示された前記設定項目の全てについて、
　
（３）訂正事項ｃ　
　特許請求の範囲の減縮を目的として、訂正前の特許請求の範囲の請求項３を、削除する。
　
（４）訂正事項ｄ
　特許請求の範囲の減縮を目的として、訂正前の特許請求の範囲の請求項４を、訂正後の請求項２とし、以下の通りに訂正する。
「【請求項２】キーボードと、そのキーボードから入力された文字等を表示するディスプレイとを有する電子機器のパラメータ選択装置において、
　前記ディスプレイに、複数の設定項目を持つフォーマット設定画面を
、前記設定項目が複数個同時に表示されるように
　そのフォーマット設定画面表示手段により前記ディスプレイに表示された複数の選択項目の中から１つの選択項目を選択する項目選択手段と、
　操作することで前記項目選択手段により選択された設定項目について複数のパラメータの中から選択状態にある任意のパラメータを他のパラメータに順次変更するパラメータ選択手段と、
　前記各設定項目についてそれぞれ複数のパラメータの中の予め決めた１つのパラメータを記憶する記憶手段と、
　
複数個同時に表示された前記設定項目の全てについて、
　
（５）訂正事項ｅ
　明りょうでない記載の釈明を目的として、訂正前の特許請求の範囲の請求項５を、訂正後の請求項３とし、以下の通りに訂正する。
「【請求項３】請求項
１または２に
　前記ディスプレイは、前記パラメータ選択手段の操作により複数のパラメータを一部分づつ順次表示することを特徴とするパラメータ選択装置。」
　
（６）訂正事項ｆ　
　特許請求の範囲の減縮及び明りょうでない記載の釈明を目的として、訂正前の特許請求の範囲の請求項６及び７を、削除する。
　
（７）訂正事項ｇ
　明りょうでない記載の釈明を目的として、訂正前の特許請求の範囲の請求項８を、訂正後の請求項４とし、以下の通りに訂正する。
「【請求項４】請求項
２に
　
（８）訂正事項ｈ
　明りょうでない記載の釈明を目的として、特許明細書の段落【０００６】〜【００２１】の記載を、以下の通り訂正する。
「【０００６】
　【課題を解決するための手段】
　前記目的を達成するため本発明の請求項１に記載のパラメータ選択装置は、択一的に選択可能な複数の設定項目とその各設定項目について複数のパラメータを表示可能なディスプレイを有する電子機器のパラメータ選択装置において、そのディスプレイに複数個同時に表示された前記設定項目の中から任意の項目を選択する項目選択手段と、操作することで前記ディスプレイに表示されているパラメータであって、前記複数のパラメータの中から選択状態にある任意のパラメータを他のパラメータに順次変更するパラメータ選択手段と、前記各選択項目について複数のパラメータの中の予め決めた１つのパラメータを記憶する記憶手段と、複数個同時に表示された前記設定項目の全てについて、前記ディスプレイに任意のパラメータを表示している状態において、その表示パラメータを前記予め決めた１つのパラメータに選択する初期設定手段とを有する。
【０００７】　
【０００８】
【０００９】
　本発明の請求項２に記載のパラメータ選択装置は、キーボードと、そのキーボードから入力された文字等を表示するディスプレイとを有する電子機器のパラメータ選択装置において、前記ディスプレイに、複数の設定項目を持つフォーマット設定画面を、前記設定項目が複数個同時に表示されるように表示するフォーマット設定画面表示手段と、そのフォーマット設定画面表示手段により前記ディスプレイに表示された複数の選択項目の中から１つの選択項目を選択する項目選択手段と、操作することで前記項日選択手段により選択された設定項目について複数のパラメータの中から選択状態にある任意のパラメータを他のパラメータに順次変更するパラメータ選択手段と、前記各設定項目についてそれぞれ複数のパラメータの中の予め決めた１つのパラメータを記憶する記憶手段と、複数個同時に表示された前記設定項目の全てについて、前記ディスプレイにフォーマット設定画面を表示している状態において、その表示パラメータを前記予め決めた１つのパラメータに選択する初期設定手段とを有する。
【００１０】
　本発明の請求項３に記載のパラメータ選択装置は、前記請求項１または２に記載のパラメータ選択装置において、前記ディスプレイは、前記パラメータ選択手段の操作により複数のパラメータを一部分づつ順次表示する構成である。
【００１１】
【００１２】
【００１３】
　本発明の請求項４に記載のパラメータ選択装置は、前記請求項２に記載のパラメータ選択装置において、さらに前記選択されたパラメータにもとづいてフォーマット設定を変更する登録キーを有する。
【００１４】
　【作用】
　上記のように構成された請求項１に記載のパラメータ選択装置では、ディスプレイに複数個同時に表示される複数の設定項目の中からパラメータを変更しようとする設定項目を、項目選択手段により選択する。その選択した設定項目についてパラメータ選択手段を操作することにより、複数のパラメータの中から選択状態にある任意のパラメータを他のパラメータに順次変更することができる。このパラメータを選択をする場合において、複数個同時に表示された前記設定項目の各々について、予め決めた１つのパラメータにする場合には、ディスプレイに任意のパラメータを表示している状態で、各設定項目について予め記憶された前記１つのパラメータを初期設定手段により選択することができる。これにより、前記１つのパラメータを、煩雑な繰り返し操作をすることなく選択することができる。
【００１５】
【００１６】
【００１７】
　請求項２に記載のパラメータ選択装置は、キーボードから入力された文字等をディスプレイに表示するものであって、フォーマット設定をする場合、そのディスプレイにフォーマット設定画面を、前記設定項目が複数個同時に表示されるように表示する。そしてディスプレイに表示される複数の設定項目の中からパラメータを変更しようとする設定項目を、項目選択手段により選択し、その選択した設定項目についてパラメータ選択手段を操作することにより、複数のパラメータの中から選択状態にある任意のパラメータを他のパラメータに順次変更することができる。このパラメータを選択をする場合において、複数個同時に表示された前記設定項目の全てについて、予め決めた１つのパラメータにする場合には、前記請求項１に記載のものと同様にディスプレイに任意のパラメータを表示している状態で、各設定項目について予め記憶された前記１つのパラメータを初期設定手段により選択することができる。
【００１８】
　請求項３に記載のパラメータ選択装置では、前記請求項１または２に記載のものと同様に作用する上、パラメータ選択手段の操作により、ディスプレイに、複数のパラメータを一部分づつ順次表示することができる。
【００１９】
【００２０】
【００２１】
　請求項４に記載のパラメータ選択装置では、前記請求項２に記載のものと同様に作用する上、登録キーの操作により、選択されたパラメータにも，とづいてフォーマット設定を変更することができる。」
　
（９）訂正事項ｉ
　明りょうでない記載の釈明を目的として、特許明細書の段落【００４９】〜【００５６】の記載を、上記特許請求の範囲の訂正に伴い、以下の通り訂正する。
「【００４９】
　【発明の効果】
　以上のように本発明の請求項１に記載の構成では、複数の設定項目の中からパラメータを変更しようとする設定項目を選択し、その選択した設定項目について複数のパラメータの中から選択状態にある任意のパラメータを他のパラメータに順次変更することができるとともに、このパラメータを変更をする場合において、各設定項目について予め決めた１つのパラメータに変更する場合には、ディスプレイに任意のパラメータを表示しているまま、初期設定手段により容易に選択することができ、従来のように煩雑な繰り返し操作をする必要がなく操作性を著しく向上させることができる。
【００５０】
【００５１】
【００５２】
　請求項２に記載の構成では、設定項目が複数個同時に表示されるようにディスプレイにフォーマット設定画面を表示し、そのディスプレイに表示される複数の設定項目の中からパラメータを変更しようとする設定項目を選択し、その選択した設定項目について複数のパラメータの中から選択状態にある任意のパラメータを他のパラメータに順次変更することができる。このパラメータを変更をする場合において、複数個同時に表示された前記設定項目の全てについて、予め決めた１つのパラメータに変更する場合には、ディスプレイにフォーマット設定画面を表示しているまま、初期設定手段により容易に選択することができ、従来のように煩雑な繰り返し操作をする必要がなく操作性を著しく向上させることができる。
【００５３】
　請求項３に記載の構成では、前記請求項１または２に記載のものと同様な効果を得られる上、ディスプレイにパラメータを一部分づつ順次表示することで、小型のディスプレイで多数のパラメータの中から任意のパラメータに変更することができる。
【００５４】
【００５５】
【００５６】
　請求項４に記載の構成では、前記請求項２に記載のものと同様な効果を得られる上、上述のようにしてパラメータを変更した後、登録キーの操作により、フォーマット設定を変更することができる。」
　
２．訂正の適否
　上記（２）訂正事項ｂについて考察する。　
　この訂正は、「ディスプレイに表示された前記設定項目」を「ディスプレイに
複数個同時に
複数個同時に表示された前記設定項目の全てについて、
　この「
複数個同時に表示された前記設定項目の全てについて、
　しかし、表示中の複数の設定項目の全てにつき一度に初期設定を行うことは、願書に添付した明細書又は図面に記載されておらず、かつ、これらから、当業者が直接的かつ一義的に導き出せる事項でもない。図５のフローチャートおよびそれに対応する説明をみても、設定項目毎にパラーメータを初期値にすることしか読みとれず、設定項目の全てにつき一度に設定することは全く記載されていない。
　したがって、この訂正は、願書に最初に添付した明細書又は図面に記載した事項の範囲内においてしたものではない。
　また、上記（４）訂正事項ｄについても同様に、願書に最初に添付した明細書又は図面に記載した事項の範囲内においてなされたものではない。
  
３．むすび
　以上により、上記訂正は、特許法の一部を改正する法律（平成６年法律第１１６号）附則第６条第１項の規定によりなお従前の例によるとされる、特許法第１２０条の４第３項において準用する平成６年法律第１１６号による改正前の第１２６項第１項ただし書の規定に適合しないので、訂正は認められない。
　
ＩＩＩ．特許異議申立ての概要
　申立人中沢誠は下記の甲第１乃至４号証により、請求項１乃至８に係る発明の特許は特許法第２９条第２項の規定に違反してなされたものであるから、取り消すべき旨主張している。
　甲第１号証：特開昭６３−９８７６６号公報
　甲第２号証：特開昭６２−２５５９７０号公報
　甲第３号証：特開平３−２９５５８号公報
　甲第４号証：特開平２−２４４２１１号公報
　
ＩＶ．特許異議申立てについての判断
１．本件発明
　上記ＩＩ．により、訂正は認められないので、本件特許の請求項に係る発明は、特許査定時の特許請求の範囲の請求項１−８に記載された次のとおりのものであると認める。
　　【請求項１】 択一的に選択可能な複数のパラメータを表示可能なディスプレイを有する電子機器のパラメータ選択装置において、
　操作することで前記ディスプレイに表示されているパラメータであって、前記複数のパラメータの中から選択状態にある任意のパラメータを他のパラメータに順次変更するパラメータ選択手段と、
　前記複数のパラメータの中の予め決めた１つのパラメータを記憶する記憶手段と、
　前記ディスプレイに任意のパラメータを表示している状態において、その表示パラメータを前記予め決めた１つのパラメータに選択する初期設定手段とを有することを特徴とするパラメータ選択装置。
　　【請求項２】 択一的に選択可能な複数の設定項目とその各設定項目について複数のパラメータを表示可能なディスプレイを有する電子機器のパラメータ選択装置において、
　そのディスプレイに表示された前記設定項目の中から任意の項目を選択する項目選択手段と、
　操作することで前記ディスプレイに表示されているパラメータであって、前記複数のパラメータの中から選択状態にある任意のパラメータを他のパラメータに順次変更するパラメータ選択手段と、
　前記各選択項目について複数のパラメータの中の予め決めた１つのパラメータを記憶する記憶手段と、
　前記ディスプレイに任意のパラメータを表示している状態において、その表示パラメータを前記予め決めた１つのパラメータに選択する初期設定手段とを有することを特徴とするパラメータ選択装置。
　　【請求項３】 キーボードと、そのキーボードから入力された文字等を表示するディスプレイとを有する電子機器のパラメータ選択装置において、
　前記ディスプレイに、フォーマット設定画面を表示するフォーマット設定画面表示手段と、
　操作することで前記フォーマット設定画面表示手段により前記ディスプレイに表示されたフォーマットについてのパラメータであって、複数のパラメータの中から選択状態にある任意のパラメータを他のパラメータに順次変更するパラメータ選択手段と、
　前記複数のパラメータの中の予め決めた１つのパラメータを記憶する記憶手段と、
　前記ディスプレイにフォーマット設定画面を表示している状態において、その表示パラメータを前記予め決めた１つのパラメータに設定する初期設定手段とを有することを特徴とするパラメータ選択装置。
　　【請求項４】 キーボードと、そのキーボードから入力された文字等を表示するディスプレイとを有する電子機器のパラメータ選択装置において、
　前記ディスプレイに、複数の設定項目を持つフォーマット設定画面を表示するフォーマット設定画面表示手段と、
　そのフォーマット設定画面表示手段により前記ディスプレイに表示された複数の選択項目の中から１つの選択項目を選択する項目選択手段と、
　操作することで前記項目選択手段により選択された設定項目について複数のパラメータの中から選択状態にある任意のパラメータを他のパラメータに順次変更するパラメータ選択手段と、
　前記各設定項目についてそれぞれ複数のパラメータの中の予め決めた１つのパラメータを記憶する記憶手段と、
　前記ディスプレイにフォーマット設定画面を表示している状態において、その表示パラメータを前記予め決めた１つのパラメータに選択する初期設定手段とを有することを特徴とするパラメータ選択装置。
　　【請求項５】 請求項１〜４のいずれかに記載のパラメータ選択装置において、
　前記ディスプレイは、前記パラメータ選択手段の操作により複数のパラメータを一部分づつ順次表示することを特徴とするパラメータ選択装置。
　　【請求項６】 請求項２または４に記載のパラメータ選択装置において、
　前記ディスプレイは、前記設定項目を複数個同時に表示することを特徴とするパラメータ選択装置。
　　【請求項７】 請求項２または４に記載のパラメータ選択装置において、
　前記初期設定手段は、前記ディスプレイ上で前記項目選択手段により選択した項目ごとにパラメータを前記予め決めたパラメータに選択することを特徴とするパラメータ選択装置。
　　【請求項８】 請求項３または４に記載のパラメータ選択装置において、さらに前記選択されたパラメータにもとづいてフォーマット設定を変更する登録キーを有することを特徴とするパラメータ選択装置。
　
２．刊行物に記載された発明
　当審で通知した取消理由で引用した刊行物１（異議申立人の提出した甲第１号証　特開昭６３−９８７６６号公報）には、図１、図２、図３とともに、次の技術事項が記載されている。
（ａ１）「【産業上の利用分野】
　本発明は、文書作成装置における変更された書式データを項目別に初期値へ復元させる装置に関する。」（第１頁左下欄第１８行から右下欄第１行）
（ａ２）「【発明の目的】
　本発明は、上記の問題点を解決するためになされたものであり、その目的とするところは、書式データを項目別にその初期値に自動的に復元させ、装置の使用性を改善することである。
【問題点を解決するための手段】
　上記問題点を解決するための発明の構成は、複数の項目からなる書式データを設定し、その書式データに従って文書を作成する文書作成処理装置において、前記書式データの初期値を記憶する初期値記憶手段と、前記書式データを設定し直す書式データ設定手段と、前記書式データ設定手段により設定し直された項目のデータを個別に前記初期値記憶手段に記憶されている対応する項目の初期値に戻す初期値復帰手段とを具備したことである。」（第２頁左上欄第１４行から右上欄第９行）
（ａ３）「以下、本発明を具体的な実施例に基づいて説明する。第１図は本発明の具体的な一実施例に係るワードプロセッサの構成を示したブロックダイヤグラムである。リードオンリーメモリ（以下「ＲＯＭ」という）２には、文書作成のためのＣＰＵ１の処理手順を指令するプログラムが記憶されている。ＲＡＭ３には、作成された文書データを記憶するテキストメモリ３１と書式データを記憶する書式データ領域３２と書式データの初期値を記憶する初期値領域３３と、割り込み処理の開始時に、その直前の処理状態へ復帰するために必要な各データが格納される復帰データ領域３４等が形成されている。ＣＰＵ１には、データバス、アドレスバス、制御バス（図中、一括して符号１２で示されている）が接続されており、そのバス１２には、インターフェース４が接続され、それには文字・記号コード、ファンクションコードを出力するキーボード５が接続されている。これらのコードは、キーボード５に設けられている各文字・記号キーや各ファンクションキー等の押下により出力される。また、バス１２には、画面駆動装置６が接続され、それには、入力された文字・記号等を表示するディスプレイ７が接続されている。同様に、バス１２には、文書を印刷するプリンタ９がプリンタ駆動装置８を介して接続されており、また文書データを外部記憶媒体であるフロッピィディスク１１に保存させるためのディスク駆動装置１０が接続されている。」（第２頁左下欄１行から右下欄８行）
（ａ４）「ここで、文書作成開始後に書式データを変更したい場合には、書式データ変更メニューキー５３を押下する。この書式データ変更メニューキー５３が押下されると、ＣＰＵ１は現在実行中のプログラムのアドレスやＣＰＵ１に関連する各レジスタの状態等をはじめとする、現在の処理状態に復帰するために必要な各データをＲＡＭ３の復帰データ領域３４へ格納し、第２図に示すフローチャートに従って処理を実行する。ステップ１００では現時点で書式データ領域３２に設定されている書式データがディスプレイ７に第３図に示す形式で表示される。」（第２頁右下欄第１７行から第３頁左上欄第８行）（ａ５）「次にステップ１０２でキーボード５は入力可能状態とされ、キーボード５から入力されたデータが読み取られる。次にステップ１０４で、入力されたデータが書式データの修正項目を選択する項目選択データであるか否かが判定される。本実施例ではディスプレイ７に表示された書式の項目のうち、修正したい項目へカーソルをカーソルキー５４の操作により移動した後、ファンクションの実行を指令するリターン（ＲＥＴＵＲＮ）キー５５を押下することにより項目選択データが入力される。ここで、項目選択データであると判定された場合にはステップ１０６へ移行し、その入力された項目選択データに基づき書式データの内の修正項目が決定される。
　修正項目が決定されると、ステップ１０８で、その選択された修正項目のタイトルと書式データが反転表示され、その後のステップでその修正項目の書式データの変更が可能となる。ステップ１１０では、キーボード５はデータの入力可能状態とされ、キーボード５から入力されたデータが読み取られる。次にステップ１１２で入力データが書式データを初期値へ復元することを指令する＋キーコードか否かが判定され、＋キーコードである場合には、ステップ１１４でその修正項目の初期値が初期値領域３３から検索される。そして、ステップ１１６で書式データ領域３２に設定されている書式データの内、その修正項目に対応する書式データがステップ１１４で検索されたた初期値に書換えられる。そして、ＣＰＵ１の処理は、ステップ１００に戻り、書換えられ新しく設定された書式データがディスプレイ７に表示される。その後、ステップ１０２で書式データの次の修正項目の選択が可能な状態となる。このようにして、設定された文書データを項目別に、その初期値に復元することができる。
　一方、修正項目の決定後にキーボード５の操作により変更したい新たな書式データが入力された場合には、ステップ１１２の判定がＮＯとなり、ステップ１１８へ移行する。ここで、新たな書式データの入力は、新たな書式データの値に対応する数字キーの押下に続いてリターンキーを押下することにより行われる。ステップ１１８では入力データが書式データか否かが判定され、書式データと判定されるとステップ１２０で、書式データ領域３２に設定されている書式データの内、その修正項目に対応する書式データがステップ１１０で入力された新たな書式データに書換えられる。そして、ＣＰＵ１の処理はステップ１００に戻り、書換えられ新しく設定された書式データがディスプレイ７に表示される。その後、ステップ１０２で書式データの次の修正項目の選択が可能な状態となる。このようにして、設定された書式データを項目別に、所望の数値に書換えることができる。」（第３頁右上欄第１６行から第４頁左上欄第８行）
　
　以上の記載から、刊行物１には、次の発明が記載されている。
「キーボード５と、そのキーボード５から入力された文字等を表示するディスプレイ７とを有するワードプロセッサの書式データ設定装置において、
　前記ディスプレイ７に、複数の項目を持つ書式データの画面（第３図）を表示する表示手段と、
　その表示手段により前記ディスプレイ７に表示された複数の項目の中から１つの項目を選択する項目選択手段と、
　操作することで前記項目選択手段により選択された項目について設定されている任意の書式データを他の書式データに変更する書式データ修正手段と、
　前記各項目についてそれぞれ書式データの初期値を記憶する記憶手段と、
　前記ディスプレイ７に書式データの画面（第３図）を表示している状態において、その表示書式データを前記初期値に戻す初期値復帰手段とを有し、
　前記ディスプレイ７は、前記項目を複数個同時に表示するものであり、
　前記初期値復帰手段は、前記ディスプレイ７上で前記項目選択手段により選択した項目ごとに書式データを前記初期値に戻す書式データ設定装置。」
　
３．対比・判断
（１）請求項４に係る発明
　請求項４に係る発明と、刊行物１に記載された発明とを対比する。
　刊行物１に記載された発明おける「ワードプロセッサ」、「書式データ」、「項目」、「書式データの画面（第３図）」、「表示手段」、「書式データの初期値」は、それぞれ、請求項４に係る発明の「電子機器」、「パラメータ」、「設定項目」、「フォーマット設定画面」、「フォーマット設定画面表示手段」、「予め決めた１つのパラメータ」に相当する。
　また、請求項４に係る発明は、「パラメータ選択装置」を対象とするものであるが、請求項４に係る発明において、パラメータは設定のために選択されるものであるから、請求項４に係る発明と、刊行物１に記載された発明とは、「パラメータ設定装置」を対象とするものである点で共通する。
　したがって、請求項４に係る発明と刊行物１に記載された発明とは、次の一致点及び相違点を有する。
（一致点）
　「キーボードと、そのキーボードから入力された文字等を表示するディスプレイとを有する電子機器のパラメータ設定装置において、
　前記ディスプレイに、複数の設定項目を持つフォーマット設定画面を表示するフォーマット設定画面表示手段と、
　そのフォーマット設定画面表示手段により前記ディスプレイに表示された複数の選択項目の中から１つの選択項目を選択する項目選択手段と、
　操作することで前記項目選択手段により選択された設定項目について設定されている任意のパラメータを他のパラメータに変更するパラメータ設定手段と、
　前記各設定項目についてそれぞれ予め決めた１つのパラメータを記憶する記憶手段と、
　前記ディスプレイにフォーマット設定画面を表示している状態において、その表示パラメータを前記予め決めた１つのパラメータに設定する初期設定手段とを有するパラメータ設定装置。」
　
（相違点）
　請求項４に係る発明は、パラメータ設定手段が、複数のパラメータの中から選択状態にある任意のパラメータを他のパラメータに順次変更するものであり、記憶手段が、複数のパラメータの中の予め決めた１つのパラメータを記憶するものであるパラメータ選択装置に関するものであるのに対し、刊行物１に記載された発明は、パラメータ設定手段が、設定されている任意のパラメータを他のパラメータに変更するものであり、記憶手段が、予め決めた１つのパラメータを記憶するものであるパラメータ設定装置に関するものである点。
　
　そこで、上記相違点について考察する。
　複数のパラメータの中から順次選択するパラメータ選択手段は、例えば、特開平３−２９５５８号公報（メモリーセレクトキーによる指定パラメータの選択）に記載されているように当業者に周知の技術であるから、刊行物１に記載のものにおいて、上記周知技術のように、パラメータ設定手段を、複数のパラメータの中から順次選択するパラメータ選択手段とし、記憶手段が記憶する予め決めた１つのパラメータを、上記複数のパラメータの中の１つとして、パラメータ選択装置として構成することは当業者に容易になし得たことである。また、当該構成を採用したことによる効果も格別のものではない。
　したがって、請求項４に係る発明は、刊行物１に記載された発明及び周知技術に基づいて容易に発明し得たものである。
　
（２）請求項１、２、３に係る発明
　請求項１、２、３に係る発明は、その構成要件が全て請求項４に係る発明に含まれるものであるから、上記（１）での考察と同様に、刊行物１に記載された発明及び周知技術に基づいて容易に発明し得たものである。
　
（３）請求項５に係る発明
　請求項５に係る発明は、請求項１〜４に係る発明のすべての構成要件にさらに、
「前記ディスプレイは、前記パラメータ選択手段の操作により複数のパラメータを一部分づつ順次表示する」
ものであることを付加するものであり、この点について考察する。
　上記（１）の相違点についての考察で述べたように、複数のパラメータの中から順次選択するパラメータ選択手段は周知の技術であり、複数のパラメータの中から選択する際に、複数のパラメータを１つ（１部分）ずつ順次ディスプレイに表示することも、上記周知技術の例として挙げた公報に記載されているように周知技術であるから、刊行物１に記載されたものにおいて、ディスプレイを、上記周知技術のように、前記パラメータ選択手段の操作により複数のパラメータを一部分づつ順次表示する構成とすることは当業者に容易になし得たことである。
　したがって、請求項５に係る発明は、刊行物１に記載された発明及び周知技術に基づいて容易に発明し得たものである。
　
（４）請求項６に係る発明
　請求項６に係る発明は、請求項２、４に係る発明のすべての構成要件にさらに、
「前記ディスプレイは、前記設定項目を複数個同時に表示する」
ものであることを付加するものであるが、この点は刊行物１に記載されている。
　したがって、上記（１）での考察と同様に、請求項６に係る発明は、刊行物１に記載された発明及び周知技術に基づいて容易に発明し得たものである。
　
（５）請求項７に係る発明
　請求項７に係る発明は、請求項２、４に係る発明のすべての構成要件にさらに、
「前記初期設定手段は、前記ディスプレイ上で前記項目選択手段により選択した項目ごとにパラメータを前記予め決めたパラメータに選択する」
ものであることを付加するものであるが、この点は刊行物１に記載されている。
　したがって、上記（１）での考察と同様に、請求項７に係る発明は、刊行物１に記載された発明及び周知技術に基づいて容易に発明し得たものである。
　
（６）請求項８に係る発明
　請求項８に係る発明は、請求項３、４に係る発明のすべての構成要件に、
「さらに前記選択されたパラメータにもとづいてフォーマット設定を変更する登録キーを有する」
ものであることを付加するものであり、この点について考察する。
　複数のパラメータを選択・変更するパラメータ選択装置において、複数のパラメータを登録するための登録キーを有するものは当業者に周知のものであるから、刊行物１に記載されたものにおいて、上記周知の登録キーを有する構成とすることは当業者が適宜なし得る事項に過ぎない。
　したがって、請求項８に係る発明は、刊行物１に記載された発明及び周知技術に基づいて容易に発明し得たものである。
　
４．むすび
　以上のとおり、請求項１−８に係る発明は、刊行物１に記載された発明および周知技術に基づいて当業者が容易に発明をすることができたものであるから、請求項１−８に係る発明の特許は、特許法第２９条第２項の規定に違反してなされたものである。
　したがって、本件の請求項１−８に係る発明の特許は、特許法第１１３条第２号に該当し、取り消されるべきものである。
　よって、結論のとおり決定する。
【異議決定日】
平成１５年５月９日（２００３．５．９）